(57)【要約】【課題】  第三者による覗き見を防止することの可能な情報処理装置を提供することを目的とする。【解決手段】  ノート型コンピュータ１は表示部３を備え、表示部３と一体的にカメラ８が設けられている。カメラ８に写る人物は全て顔画像の認証を行う。顔画像を登録された使用者がノート型コンピュータ１を使用している時は、ディスプレイ３ｂの視野角は図４の領域Ａに示すようになる。正規の使用者がノート型コンピュータ１を使用している時に、顔画像を登録されていない者が近寄る等してカメラ８の撮影領域Ｃに入り込んだ場合は、ディスプレイ３ｂの視野角は図４の領域Ｂに示すようになる。あらかじめ登録されていない人物が一人でもいる時はディスプレイ３ｂの視野角を狭めることで、不特定の第三者による覗き見を防止することができる。【選択図】  図４
2007322549.tif 000002
【特許請求の範囲】
【請求項１】
本体と、
前記本体に設けられた表示部と、
前記表示部近傍に設けられた撮像部と、
前記撮像部により撮像される画像に基づいて、前記表示部の視野角を制御する制御手段と、
を備えることを特徴とする情報処理装置。
【請求項２】
前記撮像部により撮像された画像中から顔を抽出する顔抽出手段を有し、前記制御手段は、抽出された顔に基づいて、前記表示部の視野角を制御することを特徴とする請求項１記載の情報処理装置。
【請求項３】
顔の画像を登録する登録手段と、
前記登録手段により登録された顔の画像を記憶する記憶手段と、
前記記憶手段により記憶された顔と前記顔抽出手段により抽出された顔とを比較する比較手段と、を有し、
前記比較手段による比較結果に基づいて、前記表示部の視野角を制御することを特徴とする請求項２記載の情報処理装置。
【請求項４】
前記顔抽出手段により抽出された顔と前記記憶手段により記憶された顔とが不一致である時は、前記表示部の視野角を狭めることを特徴とする請求項３記載の情報処理装置。
【請求項５】
前記表示部の視野角を狭めた後に、前記顔抽出手段により抽出された顔が前記記憶手段により記憶された顔と一致する時は、前記表示部の視野角を広げることを特徴とする請求項４記載の情報処理装置。  
【発明の詳細な説明】
【技術分野】
【０００１】
本発明は、情報処理装置に関し、特にセキュリティ技術に関する。
【背景技術】
【０００２】
近年、ノート型コンピュータやＰＤＡ等、携帯して使用することのできる情報処理装置が広く普及している。携帯用の情報処理装置は一般にキーボードやポインティングデバイス等の入力装置と表示用のディスプレイとを備えている。携帯用の情報処理装置では、過度に表示装置の視認性を良くすると、使用者以外の第三者に表示内容を覗き見られやすくなる。逆に、第三者に画像の内容を容易に覗き見られないように表示装置の視野角を狭くする等の処理を行うと、表示装置の視認性が落ち、使用者自身が表示内容を認識しづらくなってしまうという問題があった。
【０００３】
特許文献１には使用者に対する視認性を落とさずに、使用者以外の第三者に画像の内容を容易に覗き見られないようにする方法が記載されている。カメラにより撮像された使用者の画像データに基づいて、表示装置上の使用者の視点を検出する。検出された使用者の視点の周辺の画像の空間周波数の成分を抑制するように、画像の表示を制御する。カメラにより撮影された画像から視認性を制御した画像データが生成され、生成された画像データが表示装置に出力される。結果として、使用者が視認している箇所は視認性が保たれたまま、使用者が視認している箇所以外は視認性が落ちることになる。画面に表示されている表示内容を使用者が認識できるようにしたまま、使用者以外の第三者が表示内容を容易に覗き見ることができないようにすることができる。
【特許文献１】特開２００５−２０８１８２号公報
【発明の開示】
【発明が解決しようとする課題】
【０００４】
しかし、上記の方式の場合、単に使用者の目の位置を測定しているだけであり、権限のある個人として認証しているわけではない。使用者が表示装置から一度視線を外すと、再度視線の検出が必要となる。使用者が視線を外した時に第三者が覗き見た場合、第三者の視線を使用者の視線として検出してしまい、表示装置を覗き見られてしまうという問題がある。
【０００５】
そこで本発明の目的は、第三者による覗き見を防止することの可能な情報処理装置を提供することにある。
【課題を解決するための手段】
【０００６】
上記目的を達成するために本発明に係る情報処理装置は、本体と、前記本体に設けられた表示部と、前記表示部近傍に設けられた撮像部と、前記撮像部により撮像される画像に基づいて、前記表示部の視野角を制御する制御手段と、を備えることを特徴とする。
【発明の効果】
【０００７】
本発明によれば、第三者による覗き見を防止することの可能な情報処理装置を提供することができる。
【発明を実施するための最良の形態】
【０００８】
以下本発明に係る実施の形態を、図面を参照して説明する。
【０００９】
図１は本発明の実施形態に係る情報処理装置を示す外観斜視図である。本実施形態では情報処理装置としてノート型コンピュータを例に説明する。ノート型コンピュータ１は本体２を備え、本体２には表示部３がヒンジ部４を介して回動可能に取り付けられている。表示部３はフレーム３ａとＬｉｑｕｉｄ  Ｃｒｙｓｔａｌ  Ｄｉｓｐｌａｙ（以下、ＬＣＤ）等のディスプレイ３ｂとから構成される。本体２内には複数の電子部品を搭載した回路基板が収容されている。本体２の前上面２ａにはタッチパッド５が取り付けられているとともに、パームレスト６が設けられている。本体２の後上面２ｂにはキーボード７が取り付けられている。表示部３のフレーム３ａには、ノート型コンピュータ１の使用者および使用者の近傍を撮影するためのカメラ８が取り付けられている。カメラ８は、例えばフレーム３ａに埋め込まれるよう表示部３と一体型とすることができる。また、冶具を用いて表示部３に取り付けても良い。
【００１０】
図２は本発明の実施形態に係る情報処理装置の構成を示すブロック図である。本発明に係るノート型コンピュータ１のシステムは主に、制御部１０、入力部１１、記憶部１２、表示部１３、撮像部１４、顔認証部１５、等から構成される。制御部１０は主にＣＰＵから構成される。入力部１１、記憶部１２、表示部１３、撮像部１４、顔認証部１５は制御部１０に接続され制御される。入力部１１はタッチパッド５やキーボード７及びマウス等の入力装置の内のいずれか一つ、あるいは複数の組み合わせから構成される。記憶部１２はハードディスクドライブやフラッシュメモリ等により構成されている。記憶部１２には、各種のプログラムやデータが保存されている。また、記憶部１２にはあらかじめ登録された使用者の顔画像データが保存されている。表示部１３は、ＬＣＤ等から構成される。撮像部１４はカメラ８から構成され、ノート型コンピュータ１の使用者および使用者の近傍を静止画または動画として撮影する。撮像部１４により撮影された画像は記憶部１２に記憶される。顔認証部１５は、撮像部１４により撮影された画像の中から人の顔を抽出し、抽出した顔画像とあらかじめ登録された顔画像データとを比較する。制御部１０は、撮影された顔画像とあらかじめ登録された顔画像データとを比較した結果に基づいて、ディスプレイ３ｂの視野角を制御する。ＬＣＤの場合、ディスプレイ３ｂの視野角を制御するためには、例えば電圧のオン／オフに応じて液晶分子の配向を変える制御回路を設ける方法がある。ディスプレイ３ｂには液晶分子の配向に応じて光を透過、遮蔽するフィルタを設ける。電圧がオフの状態では、ディスプレイ３ｂのバックライトからの光は全て透過するが、電圧をオンにすると液晶分子がある方向の光を遮蔽するように配向し、特定の角度からはディスプレイ３ｂを見ることができなくなる。電圧のオン／オフに応じて液晶分子の配向を変え、ディスプレイ３ｂの視野角を制御することができる。ディスプレイ３ｂの視野角を制御する際の動作については、後に詳述する。
【００１１】
図３は本発明の実施形態に係る情報処理装置の顔画像登録動作を示すフローチャートである。ノート型コンピュータ１の使用者は、まず顔画像を登録する必要がある。ノート型コンピュータ１の電源が入った状態で、カメラ８に写る使用者を撮影する（ステップ１−１）。撮影された画像から使用者の顔を抽出する（ステップ１−２）。取得された顔画像を登録する場合は（ステップ１−３のＮｏ）、取得された顔画像を記憶部１２に記憶させ登録する（ステップ１−４）。取得された顔画像がすでに登録済みである場合や、登録する意図のない顔画像であれば（ステップ１−３のＹｅｓ）、特別な処理は行わず終了する。上記の処理により顔画像が登録された使用者は、後述するような制限を受けることなくノート型コンピュータ１を使用することが可能になる。
【００１２】
図４は本発明の実施形態に係る情報処理装置の視野角制御を模式的に示す図である。上述のように顔画像を登録された使用者がノート型コンピュータ１を使用している時は、例えばディスプレイ３ｂの視野角は図４の領域Ａに示すようになる。顔画像を登録されていない者がカメラ８の撮影領域Ｃに入り込み顔画像を撮影された場合は、ディスプレイ３ｂの視野角を図４の領域Ｂに示すように変更する。あらかじめ顔画像を登録されていない者が近づくとディスプレイ３ｂの視野角が狭くなるため、ディスプレイ３ｂに表示される画面を覗き見られるのを防止することができる。顔画像が登録されていない者が立ち去り、カメラ８によって撮影されなくなると、視野角は図４の領域Ａに示す通常の状態に戻すことできる。ノート型コンピュータ１を直接使用していない者がカメラ８により顔画像を撮影された場合であっても、その者があらかじめ顔画像を登録された者であれば、ディスプレイ３ｂの視野角が狭まることはない。そのため、複数人でノート型コンピュータ１のディスプレイ３ｂを見ている場合でも、視認性の良い視野角を維持することもできる。
【００１３】
図５は本発明の実施形態に係る情報処理装置の視野角制御動作を示すフローチャートである。ノート型コンピュータ１が起動されている時に、カメラ８により本体２の前面を撮影する（ステップ２−１）。撮影した画像に人の顔画像がない時は特別な処理は行わない（ステップ２−２のＮｏ）。撮影した画像に人の顔画像がある時は（ステップ２−２のＹｅｓ）、撮影された顔画像をデータベースの顔画像と照合する（ステップ２−３）。撮影された顔画像がデータベースに登録されていないものであれば（ステップ２−４のＮｏ）、ディスプレイ３ｂの視野角を狭める（ステップ２−５）。撮影された顔画像がデータベースに登録されたものであれば（ステップ２−４のＹｅｓ）、ディスプレイ３ｂの視野角は狭める必要はない。撮影した画像に複数の顔画像がある時は（ステップ２−６のＹｅｓ）、それぞれの顔画像をデータベースの顔画像と照合し（ステップ２−３）、視野角を狭めるかどうかを決定する。ディスプレイ３ｂの視野角を狭め（ステップ２−５）、その後に顔画像の登録されていない第三者が立ち去り、登録されていない顔画像が検出されなくなったら（ステップ２−７のＮｏ）、ディスプレイ３ｂの視野角を広くする（ステップ２−８）。登録されていない顔画像が依然として検出される時は（ステップ２−７のＹｅｓ）、特別な処理は行わず、ディスプレイ３ｂの視野角を狭めたままにしておく。
【００１４】
本実施形態では、カメラ８に写る人物は全て顔画像の認証を行い、あらかじめ登録されていない人物が一人でもいる時はディスプレイ３ｂの視野角を狭めることで、不特定の人物による覗き見を防止することができる。一方、ノート型コンピュータ１を直接使用していない者がカメラ８により撮影された場合であっても、その者があらかじめ顔画像を登録された者であれば、ディスプレイ３ｂの視野角が狭まることはない。そのため、複数人でノート型コンピュータ１の画面を見ている場合でも、視認性の良い視野角を維持することができる。
【００１５】
本実施形態を実施した場合、第三者による覗き見を防止することの可能な情報処理装置を提供することができる。
【００１６】
本発明ではその主旨を逸脱しない範囲であれば、上記の実施形態に限定されるものではなく種々の変形が可能である。
【図面の簡単な説明】
【００１７】
【図１】本発明の実施形態に係る情報処理装置を示す外観斜視図。
【図２】本発明の実施形態に係る情報処理装置の構成を示すブロック図。
【図３】本発明の実施形態に係る情報処理装置の顔画像登録動作を示すフローチャート。
【図４】本発明の実施形態に係る情報処理装置の視野角制御を模式的に示す図。
【図５】本発明の実施形態に係る情報処理装置の視野角制御動作を示すフローチャート。
【符号の説明】
【００１８】
１…ノート型コンピュータ、２…本体、３…表示部、４…ヒンジ部、５…タッチパッド、６…パームレスト、７…、キーボード、８…カメラ、１０…制御部、１１…入力部、１２…記憶部、１３…表示部、１４…撮像部、１５…顔認証部
【図１】
2007322549.tif 000003
【図２】
2007322549.tif 000004
【図３】
2007322549.tif 000005
【図４】
2007322549.tif 000006
【図５】
2007322549.tif 000007